(57)【要約】【課題】リフタを駆動する駆動手段や駆動力を伝達する伝達手段の機構を薄くでき、かつ製造コストを安価にできる光磁気記録再生装置を提供する。【解決手段】形状記憶合金製の駆動力発生部材としてのワイヤ１７を用い、このワイヤ１７の通電時の伸縮によってリフタ５を駆動するスライド板１５を移動させ、このスライド板１５によりリフタ５を直接または間接的に移動させて磁気ヘッド４を接触あるいは離間させるように構成した。これにより、リフタを駆動する駆動手段や駆動力を伝達する伝達手段の機構を、全て高さ方向の小さな部品で、かつ簡単に構成することができ、薄型化を図ることができるとともに製造コストの低減化を図ることができる。【選択図】　　図１
2004118950.tif 000002
【特許請求の範囲】
【請求項１】
記録再生可能なディスクを収納したカートリッジを保持するホルダと、
このホルダに回動可能に取り付けられ、ディスク面に磁気ヘッドを接触あるいは離間させるためのリフタと、
所定方向に移動自在に配置されてリフタを移動させるリフタ駆動用部材と、
通電されて加熱された際に収縮し、収縮力により発生した力によりリフタ駆動用部材を移動させる、形状記憶合金部を有する駆動力発生部材と、
前記リフタ駆動用部材を、前記形状記憶合金部の収縮力による移動方向とは反対側に付勢し、その付勢力が、前記駆動部材の通電時の収縮力よりも小さい付勢手段と、
リフタ駆動用部材を所定位置に保持する保持手段と
を備えたことを特徴とする光磁気記録再生装置。
【請求項２】
保持手段による保持状態を解除する保持状態解除手段を備えたことを特徴とする請求項１に記載の光磁気記録再生装置。
【請求項３】
保持状態解除手段が形状記憶合金製のばねであることを特徴とする請求項２に記載の光磁気記録再生装置。
【請求項４】
駆動力発生部材の形状記憶合金部の伸縮方向を変更する方向変更部材を備えたことを特徴とする請求項１〜３の何れかに記載の光磁気記録再生装置。
【発明の詳細な説明】
【０００１】
【発明の属する技術分野】
本発明は、ディスクに対して情報の記録や再生を行うことができる光磁気記録再生装置に関するものである。
【０００２】
【従来の技術】
近年、光ディスクを記録媒体として光ピックアップにより読取り再生する光磁気記録再生装置は、小型化、高性能化が進んでおり、携帯用の光磁気記録再生装置としてミニディスク（ＭＤ）を用いた携帯用ＭＤレコーダが一般的に普及している。
【０００３】
以下、従来の光磁気記録再生装置について、特開２００２−３２９３８号公報（特許文献１）に開示されている携帯型のＭＤレコーダを例にとり、図８〜図１１を用いて説明する。
【０００４】
従来の光磁気記録再生装置の分解斜視図を図８、図９により示す。１は音楽信号などの信号を記録再生可能なＭＤなどのディスク、２はディスク１を収納したカートリッジ、１００はシャーシで、このシャーシ１００の下部には、前記ディスク１を載せて回転させるためのスピンドルモータ１０１と、前記ディスク１の情報を読み込むための光ピックアップ１０２と、前記ディスク１に音楽情報を記録するための磁気ヘッドユニット１０３とが設けられている。
【０００５】
１０４は、カートリッジ２を保持するホルダであり、その上部にブラシレス型で扁平形状のモータ１０５が２本の止めビス１２６ａ、１２６ｂにて固定されている。モータ１０５の上方には、この出力軸に嵌め込まれたモータギヤ１０５ａが設けられ、このモータギヤ１０５ａは、隣接して配設された減速ギヤ１０６と噛み合わされており、モータギヤ１０５ａの回転が減速ギヤ１０６に伝えられる。減速ギヤ１０６は減速ギヤ軸１０７を中心に回転し、減速ギヤ軸１０７はホルダ１０４にカシメ固定されている。１０８はワッシャであり、減速ギヤ１０６が減速ギヤ軸１０７に組み付けられた後、このワッシャ１０８を減速ギヤ軸１０７に嵌めることにより、減速ギヤ１０６の抜け止めをしている。減速ギヤ１０６の上部には平歯車１０６ａが形成され、この平歯車１０６ａが前記モータギヤ１０５ａと噛み合わされている。
【０００６】
また、図８、図９では隠れているが、図１１に示すように、減速ギヤ１０６における平歯車１０６ａの下方にはウォーム１０６ｂが一体形成されている。このウォーム１０６ｂには、ギヤ軸１００に回転自在に通されたウォームホイール１０８が噛み合わされ、このウォームホイール１０８の一端には連結用突部１０８ａが形成されている。そして、このウォームホイール１０８の連結用突部１０８ａは、同じくギヤ軸１００に回転自在に通されたリードスクリュ１０９の一端に形成された連結用突部１０９ａに係合するようになっており、これらの連結用突部１０８ａ、１０９ａを介して、ウォームホイール１０８の回転がリードスクリュ１０９に伝達される。
【０００７】
また、ギヤ軸１１０に通されたリードスクリュ１０９の両端には、コイルばね１１１、１１２が配設されている。コイルばね１１１は、ウォームホイール１０８とリードスクリュ１０９との各々の連結用突部１０８ａ、１０９ａの間に配設され、コイルばね１１２は、ワッシャ１１３とワッシャ１１４との間に配設されている。ワッシャ１１３は、リードスクリュ１０９の回転が直接コイルばね１１２に伝わらない役目を果たしている。ワッシャ１１４と、ウォームホイール１０８側に設けられたワッシャ１１５とは、ウォームホイール１０８およびリードスクリュ１０９がギヤ軸１１０より抜けないような役割をしている。ギヤ軸１１０はその両端がホルダ１０４の支持部１０４ａ、１０４ｂに固定されてホルダ１０４上に取り付けられている。
【０００８】
リードスクリュ１０９の溝部１０９ｂには、ナット板１１６に設けられた歯部１１６ａが噛み合っており、ナット板１１６は、連結ロッド１１７に接着固定されている。連結ロッド１１７には、ガイド孔１１７ｂ、１１７ｃが設けられており、これらのガイド孔１１７ｂ、１１７ｃには、ホルダ１０４に設けられたリブ１０４ｃ、１０４ｄが挿入され、これにより連結ロッド１１７は、矢印ア方向、または、矢印イ方向へ移動可能な状態でホルダ１０４に支持されている。
【０００９】
１１８は一端に係合部１１８ａが形成されたリフタであり、この係合部１１８ａは、連結ロッド１１７のカム部１１７ａと当接して係合する。リフタ１１８は、その片側両端部に形成された支持部１１８ｂ、１１８が、ホルダ１０４に形成された固定部１０４ｅ、１０４ｆに嵌め込まれて、これらの支持部１１８ｂ、１１８ｃを中心に回動可能な状態で支持されている。また、リフタ１１８の他方側にはリフト部１１８ｄが設けられており、このリフト部１１８ｄが、磁気ヘッド１０３の被リフト部１０３ｂと接触可能な位置に設置されている。
【００１０】
磁気ヘッド１０３は、ヘッド抑えばね１１９とともに、止めビス１２０によりヘッドアングル１２１にねじ締め固定されている。また、ヘッドアングル１２１は、止めビス１２２により、光ピックアップ１０２に固定されている。
【００１１】
図１０（ａ）、（ｂ）は磁気ヘッド１０３の動作を示す側面図で、図１０（ａ）は、ディスク１と磁気ヘッド１０３のヘッド部１０３ａとが離間した状態、図１０（ｂ）は、これらが接触した状態である。このような構成において、モータ１０５を時計回り、もしくは反時計回りに回転させることにより、モータギヤ１０５ａ、減速ギヤ１０６、ウォームホイール１０８、リードスクリュ１０９などからなるウォームギヤ減速機構（伝達手段）で、連結ロッド１１７を図９、図１０における矢印ア方向、もしくは矢印イ方向に移動させることができる。
【００１２】
図１０（ａ）は磁気ヘッド１０３のヘッド部１０３ａがディスク１から離間した状態を示す。この状態からモータ１０５を回転させて、連結ロッド１１７を矢印ア方向に動かすことにより、カム部１１７ａに当接したリフタ１１８のカム面１１８ａが、支持部１１８ｂを支点として時計方向に回転し、リフタ１１８のリフト部１１８ｄが磁気ヘッド１０３の被リフト部１０３ｂから離れる方向に移動する。それに伴い、磁気ヘッド１０３のヘッド部１０３ａはディスク１に接近し、最終的には図１０（ｂ）に示すように、磁気ヘッド１０３のヘッド部１０３ａはディスク１と接触する。その際、磁気ヘッド１０３の被リフト部１０３ｂはリフタ１１８のリフト部１１８ｂと適切な隙間を保持した離間状態となる。
【００１３】
逆に磁気ヘッド１０３のヘッド部１０３ａをディスク１から離間させる際には図１０（ｂ）において昇降ロッド１１７が矢印イ方向に移動するようにモータ１０５を上記方向とは逆方向に回転させる。それにより、リフタ１１８は反時計方向に回転し、リフト部１１８ｂで磁気ヘッド１０３の被リフト部１０３ｂが持上げられて、ヘッド部１０３ａがディスク１と離間する。
【００１４】
なお、図８において、１２３は蓋、１２４はディスク１の情報を再生記録させるための電気回路が構成された配線基板、１２５は底ケースである。
【００１５】
【特許文献１】
特開２００２−３２９３８号公報
【００１６】
【発明が解決しようとする課題】
上記のように、従来の光磁気記録再生装置においては、磁気ヘッド１０３のヘッド部１０３ａをディスク１に接触あるいは離間させるためのリフタ１１８を駆動させる機構として、ホルダ１０４上にモータ１０５を取り付け、このモータ１０５の回転力を、モータギヤ１０５ａ、減速ギヤ１０６、ウォームホイール１０８、リードスクリュ１０９などからなる減速機構でリフタ１１８に伝達することで構成していた。
【００１７】
したがって、このような構造を採用したことによるホルダ１０４上の必要な高さが、図１１に示すように、モータ１０５の本体部分の厚みとモータギヤ１０５ａの厚みとを加えた値、もしくは、モータ１０５の本体部分の厚みと減速ギヤ１０６の平歯ギヤ部１０６ａの厚みとこれらの間の隙間高さを加えた値、もしくはウォームホイール１０８の直径と減速ギヤ１０６の平歯ギヤ部１０６ａとの厚みおよびこれらの間の隙間高さを加えた値の何れかで決定されており、比較的大きな高さ寸法ｈが必要となって薄型化し難く、その結果として携帯用のＭＤレコーダの厚みが厚くなるという課題を有していた。
【００１８】
また、モータ１０５の回転力を複数のギヤなどからなる上記減速機構で減速させて力を伝達し、最終的にリフタ１１８を駆動する構成であるため、複雑な減速機構が必要で、部品点数が増え、これによって、製造コストが高くなる問題もあった。
【００１９】
本発明は上記課題を解決するもので、リフタを駆動する駆動手段や駆動力を伝達する伝達手段の機構を薄くでき、かつ製造コストを安価にできる光磁気記録再生装置を提供することを目的とするものである。
【００２０】
【課題を解決するための手段】
この課題を解決するために本発明の光磁気記録再生装置は、記録再生可能なディスクを収納したカートリッジを保持するホルダと、このホルダに回動可能に取り付けられ、ディスク面に磁気ヘッドを接触あるいは離間させるためのリフタと、所定方向に移動自在に配置されてリフタを移動させるリフタ駆動用部材と、通電されて加熱された際に収縮し、収縮力により発生した力によりリフタ駆動用部材を移動させる、形状記憶合金部を有する駆動力発生部材と、前記リフタ駆動用部材を、前記形状記憶合金部の収縮力による移動方向とは反対側に付勢し、その付勢力が、前記駆動部材の通電時の収縮力よりも小さい付勢手段と、リフタ駆動用部材を所定位置に保持する保持手段とを備えたことを特徴とし、この構成によれば、リフタを駆動する駆動手段や駆動力を伝達する伝達手段の機構を薄くでき、かつ製造コストを安価にできる。
【００２１】
【発明の実施の形態】
本発明の請求項１に記載の光磁気記録再生装置は、記録再生可能なディスクを収納したカートリッジを保持するホルダと、このホルダに回動可能に取り付けられ、ディスク面に磁気ヘッドを接触あるいは離間させるためのリフタと、所定方向に移動自在に配置されてリフタを移動させるリフタ駆動用部材と、通電されて加熱された際に収縮し、収縮力により発生した力によりリフタ駆動用部材を移動させる、形状記憶合金部を有する駆動力発生部材と、前記リフタ駆動用部材を、前記形状記憶合金部の収縮力による移動方向とは反対側に付勢し、その付勢力が、前記駆動部材の通電時の収縮力よりも小さい付勢手段と、リフタ駆動用部材を所定位置に保持する保持手段とを備えたことを特徴とする。
【００２２】
この構成によれば、形状記憶合金部の伸縮によってリフタ駆動用部材を介してリフタを移動させ、保持手段により、リフタ駆動用部材の位置、ひいてはリフタの位置を保持できる。この結果、モータならびにモータの回転力を伝達する複数のギヤからなる減速機構を設けなくても済むので、薄型化や、製造コストの低減化を図ることが可能となる。
【００２３】
請求項２に記載の発明は、請求項１に記載の光磁気記録再生装置において、保持手段による保持状態を解除する保持状態解除手段を備えたことを特徴とする。請求項３に記載の発明は、請求項２に記載の光磁気記録再生装置において、保持状態解除手段が形状記憶合金製のばねであることを特徴とする。
【００２４】
この構成によれば、保持手段による保持状態を良好に解除することができ、また、保持状態解除手段として形状記憶合金製のばねを用いることで、薄型化や製造コストの低減に支障をきたすことを防止できる。
【００２５】
請求項４に記載の発明は、請求項１〜３の何れかに記載の光磁気記録再生装置において、駆動力発生部材の形状記憶合金部の伸縮方向を変更する方向変更部材を備えたことを特徴とする。
【００２６】
この構成によれば、形状記憶合金部を有する駆動力発生部材を小さい領域に配置することが可能となるため、コンパクト化を促進できる。
（実施の形態１）
以下、本発明の実施の形態を図面に基づき説明する。
【００２７】
図１は本発明の第１の実施の形態に係る光磁気記録再生装置の平面図、図２は同光磁気記録再生装置の概略的な側面断面図、図３の（ａ）〜（ｄ）は同光磁気記録再生装置の要部拡大平面図、およびその後面側から見た図、正面図、右側面図である。また、便宜上、一部の図面にのみ、その形状を記した部品もある。
【００２８】
図１、図２において、１は音楽信号などの信号を記録再生可能なＭＤなどのディスク、２はディスク１を収納したカートリッジ、３はカートリッジ２を保持するホルダ、４はヘッド部４ａを有する磁気ヘッド、５はディスク１に磁気ヘッド４のヘッド部４ａを接触あるいは離間させるためのリフタ、２３は磁気ヘッドユニット４のヘッド部４ａをディスク１に接触、もしくは離間させるための昇降機構ユニットである。昇降機構ユニット２３は、ホルダ３の上面部に、２本の止めビス１６ａ、１６ｂにてビス止めされて固定されている。
【００２９】
リフタ５は、その片側両端部に形成された支持部５ｂ、５ｃが、ホルダ３に形成された固定部３ａ、３ｂに嵌め込まれて、これらの支持部５ｂ、５ｃを中心に回動可能な状態で支持されている。また、リフタ５の一端にはリフト部５ｄが設けられており、このリフト部５ｄが、磁気ヘッド４の被リフト部４ｂと接触可能な位置に配設されている。さらに、リフタ５の一部には、昇降機構ユニット２３に設けられたスライド板１５の傾斜面からなるカム面１５ａに対して当接する当接面部５ａが形成されている。
【００３０】
図２に示すように、磁気ヘッド４は、止めビス７によりヘッドアングル６に固定され、また、ヘッドアングル６は、止めビス８により、光ピックアップ９に固定されている。また、磁気ヘッド４は、止めビス７が設けられている基部側で、下方側に付勢されている。１０はホルダ３を回動可能な姿勢で支持するシャーシで、このシャーシ１０には、ディスク１を回転させるためのスピンドルモータ２３が設けられているとともに、光ピックアップ９を保持するためのシャフト（図面では省略）を保持する等の機能を有する。また、図２における１２は蓋、１１はディスク１の情報を再生記録させるための電気回路が構成された配線基板、１３は底ケース、２５はスピンドルモータである。
【００３１】
次に、昇降機構ユニット２３の構成の平面図および正面図を図３に示す。図３に示すように、昇降機構ユニット２３は、昇降機構ユニット２３を構成する部品を保持する絶縁性材料からなるベース板１４と、先端側ほど下方に傾斜する上述したカム面１５ａを有し、ベース板１４に形成されたたて曲げ部１４ｃ、１４ｄに案内されながらベース板１４上を所定方向にスライド自在に支持されたリフタ駆動用部材としてのスライド板１５と、２つの接続端子２４ａ，２４ｂに接続された図示しない接続配線を介して通電可能に配置され、通電されて加熱された際に収縮し、収縮力により発生した力によりスライド板１５をａ方向に移動させる、形状記憶合金製の駆動力発生部材としてのワイヤ１７と、ベース板１４上に立設された軸１８ａを中心として回転自在に支持され、ワイヤ１７の収縮もしくは膨張をスムーズに行うとともに、ワイヤ１７の配置方向（ワイヤ１７の収縮収縮方向）を変更する方向変更部材としての円筒板１８と、一端がベース板１４に形成された曲げ部１４ｆに係止され、他端がスライド板１５に設けられた係止突起１５ｃに係止されて、スライド板１５を、ワイヤ１７による引張方向と反対のｂ方向に付勢する付勢手段としての引張コイルばね２２と、ビス２１によりその基端の平面部２０ａでベース板１４に固定されているとともに先端に曲げ部２０ｂが形成され、この曲げ部２０ｂが、スライド板１５に形成された半円凹部形状の第１溝部１５ｄまたは第２溝部１５ｅに係合可能とされてスライド板１５を所定位置に保持する保持手段としての金属製の板ばね２０と、形状記憶合金製とされ、一端１９ａがベース板１４に形成されたたて曲げ部１４ｅに係止され、また他端１９ｂが板ばね２０の先端部近傍箇所のフック部２０ｃに係止されて、通電時に収縮して板ばね２０の曲げ部２０ｂをスライド板１５の第１溝部１５ｄ、第２溝部１５ｅから離脱させる保持状態解除手段としてのコイルばね１９とから構成されている。
【００３２】
ここで、ワイヤ１７の一端に接続されている接続端子２４ａはベース板１４上に立設され、ワイヤ１７の他端に接続されている接続端子２４ｂはスライド板１５上に立設され、円筒板１８の厚み方向中央部には、ワイヤ１７を良好に案内するとともに、ワイヤ１７のベース板１４からの高さを位置決めする溝部１８ｂが形成されている。また、引張コイルばね２２の付勢力は、ワイヤ１７に通電されて、ワイヤ１７が変態点温度以上に加熱された時の収縮力よりも小さく、したがって、リフタ駆動用部材としてのスライド板１５は、ワイヤ１７に通電されていない非通電時には、引張コイルばね２２の付勢力によりｂ方向に付勢され、ワイヤ１７が通電されている通電時には、引張コイルばね２２の付勢力に勝るワイヤ１７の収縮力によりａ方向に引っ張られる。
【００３３】
また、図示しないが、ベース板１４のたて曲げ部１４ｅに係止されているコイルばね１９の一端１９ａと、コイルばね１９の他端１９ｂが係止された板ばね２０を固定しているビス２１とには、図示しない接続配線がそれぞれ接続されており、これらの間に通電することでコイルばね１９に通電されて収縮するようになっている。したがって、コイルばね１９に通電されていないときには、板ばね２０の曲げ部２０ｂがスライド板１５の第１溝部１５ｄまたは第２溝部１５ｅに嵌入して、スライド板１５の位置を保持する一方、コイルばね１９に通電されて、コイルばね１９が変態点温度以上に加熱された時には、コイルばね１９が、その曲げ部２０ｂがスライド板１５の第１溝部１５ｄまたは第２溝部１５ｅから離脱する姿勢になるまで曲げられて、スライド板１５は自由に移動可能な状態となる。
【００３４】
以上のように構成された光磁気記録装置について、以下その動作について図４〜図６を用いて説明する。ここで、図４（ａ）、図５（ａ）、図６（ａ）はそれぞれ光磁気記録再生装置の要部を拡大して示す平面図、図４（ｂ）、図５（ｂ）、図６（ｂ）はそれぞれ図４（ａ）、図５（ａ）、図６（ａ）の左側面図であり、図４（ａ）、（ｂ）は磁気ヘッド４を持ち上げている状態を示し、図５（ａ）、（ｂ）は磁気ヘッド４がディスク１に接近している状態を示し、図６（ａ）、（ｂ）は磁気ヘッド４がディスク１に接触している状態を示す。
【００３５】
図４（ａ）、（ｂ）に示す状態（ただし、板ばね２０が点線で示す状態）においては、ワイヤ１７やコイルばね１９が通電されておらず、スライド板１５の第１溝部１５ｄに板ばね２０の曲げ部２０ｂが嵌入して、スライド板１５は円筒板１８に近い位置に配置されている。そして、スライド板１５におけるカム面１５ａの上端部近傍箇所がリフタ５の当接面部５ａに当接し、リフタ５が比較的高い位置まで押し上げられ、リフタ５のリフト部５ｄで磁気ヘッド４の被リフト部４ｂが持ち上げられている。この結果、磁気ヘッド４のヘッド部４ａはディスク１と適切な隙間を持った離間状態に保たれる。
【００３６】
この状態で、コイルばね１９自身が変態温度以上となるような電流がコイルばね１９に流されると、コイルばね１９が収縮して板ばね２０のフック部２０ｃを引張り、図４（ａ）における破線部から実線部に示すように、板ばね２０の曲げ部２０ｂがスライド板１５の第１溝部１５ｄから外れる。したがって、スライド板１５は自由に移動可能な状態となる。
【００３７】
この状態で、形状記憶合金からなるワイヤ１７の両端に変態点以上の温度となるように電流を流すと、図５（ａ）、（ｂ）に示すように、ワイヤ１７が収縮して、スライド板１５はコイルばね２２に抗してａ方向に移動する。これにより、リフタ５の当接面部５ａが、スライド板１５におけるカム面１５ａの低い側に沿って下降し、リフタ５により押し上げられていた磁気ヘッド４のヘッド部４ａも下降して、ディスク１に接近していく。
【００３８】
そして、ワイヤ１７が収縮しきった状態となると、図６（ａ）、（ｂ）に示すように、ワイヤ１７の収縮によりスライド板１５はその第２溝部１５ｅが板ばね２０の曲げ部２０ｂと対向する位置まで移動する。その時点で形状記憶合金からなるコイルばね１９への通電を終了させておくことで、板ばね２０のフック部２０ｃがコイルばね１９を引張りながらスライド板１５側へ移動し、その曲げ部２０ｂがスライド板１５の第２溝部１５ｅに嵌合する。このスライド板１５の移動により、リフタ５が更に下降する。この結果、リフタ５のリフト部５ｄが磁気ヘッド４の被リフト４ｂから離間し、磁気ヘッド４のヘッド部４ａがディスク１と接触する。
【００３９】
以上のようにして、磁気ヘッド４を持ち上げた状態から磁気ヘッド４のヘッド部４ａがディスク１に接触させるまでの動作を行う。逆に磁気ヘッド４のヘッド部４ａをディスク１から離間させて適切な位置に持ち上げるには、ワイヤ１７に通電していない状態で、形状記憶合金からなるコイルばね１９に通電し、スライド板１５の第２溝部１５ｅと板ばね２０の曲げ部２０ｂとの係合を外すことによりコイルばね２２により、スライド板１５およびワイヤ１７が、図６におけるｂ方向に移動する。これにより、リフタ５ならびに磁気ヘッド４の被リフト部４ｂが押し上げられて磁気ヘッド４のヘッド部４ａがディスク１から離間する。
【００４０】
なお、予め、ワイヤ１７に通電して収縮する方向に動かすことにより、スライド板１５の第２溝部１５ｅと板ばね２０の曲げ部２０ｂとのこじれを除去した後、コイルばね１９に通電して、スライド板１５が良好にスライドできるように構成してもよい。また、スライド板１５の第１溝部１５ｄと板ばね２０の曲げ部２０ｂとが係合可能な位置で、形状記憶合金からなるコイルばね１９への通電を終了しておけば、スライド板１５の第１溝部１５ｄと板ばね２０の曲げ部２０ｂが係合し、磁気ヘッドユニット４を、図４（ｂ）に示すような適切な高さに保持することができる。
【００４１】
この構成によれば、形状記憶合金製の駆動力発生部材としてのワイヤ１７の伸縮によって、スライド板１５を介してリフタ５を移動させ、板ばね２０により、スライド板１５の位置、ひいてはリフタ５の位置を保持できる。このように形状記憶合金製のワイヤ１７の伸縮によってスライド板１５を直接移動させて、リフタ５を駆動させ、全て高さ方向の小さな部品で、かつ簡単に構成することができるので、薄型化を図ることができるとともに、複雑なギヤ減速機構等が不要であって部品点数も大幅に減少させることがきて、製造コストの低減化を図ることができる。
【００４２】
また、スライド板１５の位置を保持する保持手段としての板ばね２０を設けたので、スライド板１５をスライドさせない時には、ワイヤ１７に通電しなくても、スライド板１５の位置を良好に保持することができる。
【００４３】
さらに、板ばね２０による保持状態を解除する保持状態解除手段としてのコイルばね１９を設け、このコイルばね１９を形状記憶合金で構成したことにより、この保持状態解除手段の厚みも薄く構成できるとともに簡単な構成となるので、薄型化や製造コストの低減に支障をきたすことを防止できる。また、スライド板１５の位置を変更するときだけ、コイルばね１９に通電すればいいので、電気代も少なくて済む。
【００４４】
また、円筒板１８を設けずに、ワイヤ１７をそのまま一直線に伸びるように配置すると、昇降機構ユニット２３の設置箇所として非常に長いスペースが必要となるが、上記のように円筒板１８を設けて、ワイヤ１７の伸縮方向を変更するように構成したので、昇降機構ユニット２３としても小さい領域に配置することが可能となり、コンパクト化を促進できる。
【００４５】
（実施の形態２）
図７は本発明の第２の実施の形態を示す。
この実施の形態においても昇降機構ユニット２３の動作は上記第１の実施の形態とほぼ同じであるが、この実施の形態においては、上記第１の実施の形態のようにスライド板１５により直接リフタ５を駆動する構成ではなくて、回転自在に支持された回転アーム２６を介して間接的に、スライド板１５の動きをリフタ５に伝達して、磁気ヘッド４のヘッド部４ａを昇降する。
【００４６】
すなわち、スライド板１５の先端に突起１５ｆを設け、ホルダ３にかしめられた支軸２７により回転自在に支持された回転アーム２６の孔部２６ａに前記突起１５ｆを挿入して連結し、回転アーム２６に形成したカム面２６ｂをリフタ５の当接面部５ａに当接させている。このように構成することにより、スライド板１５の直線運動を、支軸２７を中心に回転する回転アーム２６に伝えることができ、回転アーム２６の先端のカム部２６ｂでスライド板１５を駆動することができる。なお、他の部分の構成ならびに作用は上記第１の実施の形態と同様である。
【００４７】
このような構成によっても薄型で安価な光磁気記録装置が構成できる上、昇降機構ユニット２３を設ける場所の制約が少なくなり、商品設計の自由度が増す利点がある。
【００４８】
【発明の効果】
以上のように本発明によれば、形状記憶合金製の駆動力発生部材を用い、この駆動力発生部材の伸縮によってリフタ駆動用部材を移動させ、このリフタ駆動用部材によりリフタを直接または間接的に移動させて磁気ヘッドを接触あるいは離間させるように構成したので、リフタを駆動する駆動手段や駆動力を伝達する伝達手段の機構を、全て高さ方向の小さな部品で、かつ簡単に構成することができ、薄型化を図ることができるとともに製造コストの低減化を図ることができる。
【００４９】
また、リフタ駆動用部材の位置を保持する保持手段を設けたことで、リフタ駆動用部材を移動させるときだけ駆動力発生部材に通電すれば済み、電気代も節約できるとともに、停電時などにも支障をきたすことがない。
【００５０】
また、保持状態解除手段を設けるとともに、保持状態解除手段として形状記憶合金製のばねを用いることによっても、薄型化や製造コストの低減を図ることができる。
【００５１】
さらに、駆動力発生部材の形状記憶合金部の伸縮方向を変更する方向変更部材を設けることで、形状記憶合金部を有する駆動力発生部材を小さい領域に配置することが可能となり、コンパクト化を促進できる。
【図面の簡単な説明】
【図１】本発明の第１の実施の形態に係る光磁気記録再生装置の平面図
【図２】同光磁気記録再生装置の概略的な側面断面図
【図３】（ａ）〜（ｄ）は同光磁気記録再生装置の要部拡大平面図、およびその後面側から見た図、正面図、右側面図
【図４】同実施の形態に係る光磁気記録再生装置の動作を説明するための図で、磁気ヘッドのヘッド部がディスクから離間している状態を示し、（ａ）は光磁気記録再生装置の平面図、（ｂ）は磁気ヘッドの箇所およびその近傍の左側面図
【図５】同実施の形態に係る光磁気記録再生装置の動作を説明するための図で、磁気ヘッドのヘッド部がディスクに接近している状態を示し、（ａ）は光磁気記録再生装置の平面図、（ｂ）は磁気ヘッドの箇所およびその近傍の左側面図
【図６】同実施の形態に係る光磁気記録再生装置の動作を説明するための図で、磁気ヘッドのヘッド部がディスクに接触している状態を示し、（ａ）は光磁気記録再生装置の平面図、（ｂ）は磁気ヘッドの箇所およびその近傍の左側面図
【図７】本発明の第２の実施の形態に係る光磁気記録再生装置の平面図
【図８】従来の光磁気記録再生装置の分解斜視図
【図９】同従来の光磁気記録再生装置におけるホルダ取り付け部分の分解斜視図
【図１０】同従来の光磁気記録再生装置における動作を説明するための図で、（ａ）は磁気ヘッドのヘッド部がディスクから離間している状態を示す側面図、（ｂ）は磁気ヘッドのヘッド部がディスクに接触している状態を示す側面図
【図１１】同従来の光磁気記録再生装置の要部側面図
【符号の説明】
１　　　ディスク
２　　　カートリッジ
３　　　ホルダ
４　　　磁気ヘッド
５　　　リフタ
９　　　光ピックアップ
１０　　シャーシ
１４　　ベース板
１５　　スライド板（リフタ駆動用部材）
１７　　ワイヤ（駆動力発生部材）
１８　　円筒板（方向変更部材）
１９　　コイルばね（保持状態解除手段）
２０　　板ばね（保持手段）
２２　　引張コイルばね（付勢手段）
２３　　昇降機構ユニット
２６　　回転アーム
【図１】
2004118950.tif 000003
【図２】
2004118950.tif 000004
【図３】
2004118950.tif 000005
【図４】
2004118950.tif 000006
【図５】
2004118950.tif 000007
【図６】
2004118950.tif 000008
【図７】
2004118950.tif 000009
【図８】
2004118950.tif 000010
【図９】
2004118950.tif 000011
【図１０】
2004118950.tif 000012
【図１１】
2004118950.tif 000013